(57)【要約】【課題】二枚ベッドで小型の汎用横編機で上記四枚ベッドと同様の伸縮性に富んだホールガーメントを生産できるようにすることを目的とするものである。【解決手段】ポリウレタン繊維をドラフトして４〜７デニールのモノフィラメント糸を形成し、当該ポリウレタンモノフィラメント糸を芯材としてその周囲を３０〜１１０デニールのナイロン糸でカバーリングした編糸により筒状に編成され、少なくとも一部の開口部にリブ編みを有する筒状編地であって、当該筒状編地が収縮加工により収縮させた。【選択図】    図１
2004292974.tif 000002
【特許請求の範囲】
【請求項１】
ポリウレタン繊維をドラフトして４〜７デニールのモノフィラメント糸を形成し、当該ポリウレタンモノフィラメント糸を芯材としてその周囲を３０〜１１０デニールのナイロン糸でカバーリングした編糸により筒状に編成され、少なくとも一部の開口部にリブ編みを有する筒状編地であって、当該筒状編地が収縮加工により収縮させたことを特徴とする伸縮性を有する筒状編地。
【請求項２】
筒状編地が、筒状の胴部と当該筒状の胴部から二股状に分岐した筒状編地部分が一体に形成されたパンツであって、胴部から分岐された部分で隣接する筒状編地の編地の一部を重ね合わせて当該部分を補強したことを特徴とする請求項１に記載の伸縮性を有する筒状編地。
【請求項３】
編針を進退摺動可能に収納したニードルベッドを前後に一対設けてなる横編機のニードルベッドに周回状に給糸することにより筒状の編地を編成する筒状編地の編成方法であって、ポリウレタン繊維をドラフトして４〜７デニールのモノフィラメント糸を形成し、当該ポリウレタンモノフィラメント糸を芯材としてその周囲を３０〜１１０デニールのナイロン糸でカバーリングした編糸により筒状編地の少なくとも一端の開口部分に針ぬきでリブ編みを形成するとともに、分岐状筒部を有するものでは異なる編成領域で筒状に編成された編地を、その編地の一部の編目が重なり合うように移動させ、当該重なり合わされた編目で連結された複数の筒状編地を合一した状態で前後のニードルベッドに周回状に給糸して筒状編地を編成し、当該筒状編地を収縮加工により収縮させたことを特徴とする伸縮性を有する筒状編地の製造方法。
【発明の詳細な説明】
【０００１】
【発明の属する技術分野】
本発明は伸縮性を有する筒状編地及びその製造方法に関し、一般的な汎用機で編成できるようにするものである。
【０００２】
【従来の技術】
一般に編地は編み組織であるために経糸と緯糸ととからなる織布に比べて伸縮性を有しており、この伸縮性を生かして例えばアウターパンツ、タイツ、スパッツ、腹巻、チューブトップやサポータ等の製品に使用されている。
こうした所謂ニット製品は、先ず、編針を進退摺動可能に収納したニードルベッドを前後に一対設けてなる横編機により扁平な編地編成する。
次にこの扁平な編地をパーツの形状に裁断し、このパーツをリンキングやかがり縫い等で縫着する「カットアンドソウ」により生産されている。
【０００３】
【発明が解決しようとする課題】
上記のようにリンキングやかがり縫いによるカットアンドソウで製造された製品では、縫着部分が固く、このためにニット製品の柔軟性が損なわれてしまうという問題があった。
そこで、硬くなる縫着部分をなくするために例えば前後一対のニードルベッドを上下に設けた所謂四枚ベッドの横編機で筒状の編地（ホールガーメント）を直接生産するようにしたものがある。
【０００４】
ところが、こうした所謂四枚ベッドの横編機では１枚のニードルベッドの幅が長く全体がかなり大型のものであり、広い設置スペースが必要とすることから、設置台数も少なくなり、大量生産が難しいという問題があった。
しかも四枚ベッドの横編機は、横編機自体の価格も高いことから、このイニシャルコストが製品のコストを高くするという問題もあった。
そこで、本発明は上記問題点に鑑みて提案されたもので、二枚ベッドで小型の汎用横編機で上記四枚ベッドと同様の伸縮性に富んだホールガーメントを生産できるようにすることを目的とするものである。
【０００５】
【課題を解決するための手段】
上記目的を達成するために本発明にかかる伸縮性を有する筒状編地は、ポリウレタン繊維をドラフトして４〜７デニールのモノフィラメント糸を形成し、当該ポリウレタンモノフィラメント糸を芯材としてその周囲を３０〜１１０デニールのナイロン糸でカバーリングした編糸により筒状に編成され、少なくとも一部の開口部にリブ編みを有する筒状編地であって、当該筒状編地が収縮加工により収縮させたことを特徴とするものである。
【０００６】
次に、本発明の伸縮性を有する筒状編地では、筒状編地が、筒状の胴部と当該筒状の胴部から二股状に分岐した筒状編地部分が一体に形成されたパンツであって、胴部から分岐された部分で隣接する筒状編地の編地の一部を重ね合わせて当該部分を補強したことも特徴とするものである。
【０００７】
また、本発明にかかる伸縮性を有する筒状編地の製造方法では、編針を進退摺動可能に収納したニードルベッドを前後に一対設けてなる横編機のニードルベッドに周回状に給糸することにより筒状の編地を編成する筒状編地の編成方法であって、ポリウレタン繊維をドラフトして４〜７デニールのモノフィラメント糸を形成し、当該ポリウレタンモノフィラメント糸を芯材としてその周囲を３０〜１１０デニールのナイロン糸でカバーリングした編糸により筒状編地の少なくとも一端の開口部分に針ぬきでリブ編みを形成するとともに、分岐状筒部を有するものでは異なる編成領域で筒状に編成された編地を、その編地の一部の編目が重なり合うように移動させ、当該重なり合わされた編目で連結された複数の筒状編地を合一した状態で前後のニードルベッドに周回状に給糸して筒状編地を編成し、当該筒状編地を収縮加工により収縮させたことを特徴とするものである。
【０００８】
【発明の実施の形態】
以下、本発明にかかる伸縮性を有する筒状編地及びその製造方法の一実施の形態を図面に基づいて説明する。
図中符号１はアウターパンツの正面図であって図中符号１はアウターパンツを全体的に示す。
本発明のアウターパンツ１は大径の筒状胴部２と、その下部に二股の筒状脚部３・４が一連に編成され、それぞれの開口端部にはリブ編み部分５・６が形成されるとともに、後述の横編機で二股の筒状脚部３・４の開口端部側から編み立てられ履き口側が編み終わりとなるもので、筒状脚部３・４の筒状胴部２から分岐する部分７の編目は重ね合わされている。
【０００９】
このアウターパンツ１を編成する横編機は、その図示は省略したが、編針を進退摺動可能に収納したニードルベッドをその歯口部分を突き合わせた状態で側面視ハの字状に前後一対設けるとともに、ニードルベッド上を摺動するキャリッジのカム群により編針のバットが制御され、編針が歯口部分に進退操作されることによりヤーンフィーダから給糸される編糸で編地が編成されるように構成された手袋や靴下を編成する一般的な汎用の横編機が用いられる。
上記のような汎用の横編機を用いて図１に示すアウターパンツ１を編成する手順を図２乃至図の編成コース図に基づいて次に説明する。
尚、図２乃至図中、上下に設けたアルファベットはニードルベッドの編針を便宜的に示し、図中左方に示すＦは前方のニードルベッドを、Ｂは後方のニードルベッドをそれぞれ示す。
【００１０】
本例で使用される編糸は、２０デニールのポリウレタンのモノフィラメント糸を約３．７倍ドラフト（牽伸）したものを芯材とし、その周囲に７０デニールのナイロン糸でカバーリングした弾性糸が用いられる。
図２乃至図１３は開口部分にそれぞれリブ編み部分５・６を有する二つの筒状脚部３・４の内一方の筒状脚部３の編成コースを示すもので、筒状脚部６の開口部分のリブ編み部分５から編み立てる時の編み立コースを示すもので、キャリッジに連行されるヤーンフィーダが左から右に移動する時に、前方のニードルベッドの編針Ａ、後方のニードルベッドの編針Ｃ、前方のニードルベッドの編針Ｅ、後方のニードルベッドの編針Ｇ・・・・に上記弾性糸が針抜きの状態でジグザグに給糸されて編目が形成された直後に後方のニードルベッドの編針Ｃ・Ｇ・Ｋ・・・の編目を此れに対面する前方のニードルベッドの編針Ｃ・Ｇ・Ｋ・・・に目移しすると、図３に示すように後側の編地部分がリブ編み可能な状態になる。
【００１１】
次に、キャリッジが反転して此れに連行されるヤーンフィーダが右から左に移動する時に、図４に示すように図２で空き針にされている後方のニードルベッドの編針Ｚ・Ｖ・Ｒ・・・と、前方のニードルベッドの編針Ｘ・Ｔ・Ｐ・・・とに亙って、弾性糸がジグザグに給糸されて当該編針に編目が形成された直後、前方のニードルベッドの編針Ｘ・Ｔ・Ｐ・・・の編目をこれに対面する後方のニードルベッドの編針Ｘ・Ｔ・Ｐ・・・に目移しすると、図５に示すように前側の編地部分がリブ編み可能な状態になる．
次に編み出し部分のリブ編みがほつれないようにするため図６に示すように、前方のニードルベッドの編針Ｃ・Ｇ・Ｋ・・・に移された編目を後方のニードルベッドの編針Ｃ・Ｇ・Ｋ・・・に目移しして戻し、前方のニードルベッドの編針Ａ・Ｅ・Ｉ・・・及び後方のニードルベッドの編針Ｗ・Ｓ・Ｏ・・・と同一側の編針に給糸して周回編成を行なう。
後方のニードルベッドの編針Ｗ・Ｓ・Ｏ・・・にできた編目を前方のニードルベッドの編針Ｗ・Ｓ・Ｏ・・・に目移しして預け、図７に示すように前側リブ編地と同様にして後側リブ編地を編成することにより解れ防止用の目止めが完了する。
【００１２】
目止めが完了したところで、図８に示すように前方のニードルベッドの編針Ａ、後方のニードルベッドの編針Ｃ、前方のニードルベッドの編針Ｅ、後方のニードルベッドの編針Ｇ・・・・に針抜きの状態でジグザグに給糸されて編目が形成された直後に後方のニードルベッドの編針Ｃ・Ｇ・Ｋ・・・の編目を此れに対面する前方のニードルベッドの編針Ｃ・Ｇ・Ｋ・・・に目移しする（図９参照）と、此処に前側の編地が１×１のリブ編地が形成される。
そして、図１０に示すように後方のニードルベッドの編針Ｚ、前方のニードベッドの編針Ｘ、後方のニードルベッドの編針Ｖ、前方のニードルベッドの編針Ｔ、後方のニードルベッドの編針Ｒ、前方のニードルベッドの編針Ｐ・・・に給糸した後、前方のニードルの編針Ｘ・Ｔ・Ｐ・・・の編目を此れに対面する後方のニードルベッドの編目に移す（図１１参照）。こうした編成コースを繰り返すことにより裾部分のリブ編みが形成される。
【００１３】
リブ編地の編成が完了すると、筒状編地は図１２並びに図１３の状態になっている。
この図１２、図１３のニードルベッドの編針に周回状に所定コース給糸されて編目が形成されると針ぬきの状態で筒状脚部５が形成される。こうした筒状編地の編成領域外で上記と同様にして他方の筒状脚部６が編成される。
次に図１４乃至図２１は股部分の重ね合わされる部分の編成コースを示すもので、図１４で示す筒状脚部の隣接する部分の後方のニードルベッドを図１５で示すように此れまでの標準の位置から左方に２目ラッキングして前方のニードルベッドの編針Ｙの編目と後方のニードルベッドの編針Ａの編目とを重ね合わせる。
次に後方のニードルベッドを図１６に示すように標準の位置に戻した後、後方のニードルベッドを図１７に示すように右方に２目ラッキングさせて後方のニードルベッドの編針Ｗの編目を前方のニードルベッドの編針Ｙの編目に重ね合わせると前方のニードルベッドの編針Ｙには３つの編目が掛止した状態になる。
この目移しの終了後は後方のニードルベッドを左方にラッキングさせて標準位置にする。斯くして前側の編地の編目移動が終了すると、次に後側の編地の編目を移動させる。
【００１４】
この後側の編地の編目移動は、上記前側の編地の編目移動と略同様にして行なわれる。
即ち、後方のニードルベッドの編針Ｚ・Ｘ・Ｖ・・・の編目を図１８に示すように、前方のニードルベッドの編針編針Ｚ・Ｘ・Ｖ・・・に移し、後方のニードルベッドを図１９に示すように左方に２目ラッキングし、後方のニードルベッドの編針Ｂの編目を前方のニードルベッドの編針Ｚに重ねる。
後方のニードルベッドの編針Ｚ・Ｘ・Ｖ・・・の編目を図２０に示すように前方のニードルベッドの編針Ｘ・Ｖ・Ｔ・・・に目移しする。
図２１に示すように後方のニードルベッドを更に左方に２目ラッキングした後、前方のニードルベッドの編針Ｘ・Ｖ・Ｔ・・・の編目を後方のニードルベッドの編針Ｂ・Ｚ・Ｘ・・・に移し、後方のニードルベッドの編針Ｂの編目に前方のニードルベッドの編針Ｂの編目を重ね、後方のニードルベッドを基準位置に戻す。
【００１５】
前後編針も編目が移動された後、周回状に給糸され、本体の一部を編成する。
この編成方法を数回繰り返して襠部を形成する。
襠部の上方は図１に示すように筒状の本体となり、この筒状は図２２及び図２３に示すように針抜き編成により形成される。
如かして筒状の胴部が形成されて履き口になると、図１に示すリブ編地が上記図８、図９図１１、図１２の編成手順に従って数コース編成された後端部に熱溶着糸が挿入されて編成が終了する。
斯くして編成されたアウターパンツは、スチームアイロン等により上記熱溶着糸が溶解されると履き口の解れ止め処理された状態になる。
【００１６】
因みに、本例のアウターパンツでは編糸を、２０デニールのポリウレタンのモノフィラメント糸を約３．７倍ドラフト（牽伸）したものを芯材とし、その周囲に７０デニールのナイロン糸でカバーリングした弾性糸が用いられており、こうしたものを高温（８０℃〜９０℃）の蒸気等で約１分間ヒートセットして成型するようにしてある。
ヒートセットにより全体を収縮させると、編み上がりの役１／３の大きさに弾性収縮し、伸び率は約４倍で普通サイズの約１．２倍の大きさに伸びる。此れにより、子供から大人まで共通して使用することができる。
尚、上記実施の形態では編糸を２０デニールのポリウレタンのモノフィラメント糸を約３．７倍ドラフト（牽伸）したものを芯材とし、その周囲に７０デニールのナイロン糸でカバーリングした弾性糸にしてあるが、こうしたものに限られないが、芯材はドラフトにより引っ張り強度を高めたものが望ましくドラフト率はそのモノフィラメントの太さとの関係から、芯材として適切な４〜７デニールにするのが望ましい。
また、芯材をカバーリングするナイロン糸は、芯材に合わせて３０〜１１０デニールのナイロン糸でカバーリングしたものが望ましい。また、カバーリングの素材はポリウレタン繊維を芯材にして絹糸を巻きつけたものを使用することもできる。
【００１７】
さらに上記実施の形態では、アウターパンツを例に説明したが、本発明はこうしたものに限られず、例えば、図２４に示すようなタンクトップ１や、図２５のサポータ１等、筒状で開口の少なくとも一方にリブ編み部分５形成したものに本発明を実施することができるのはいうまでもないことである。
【００１８】
【発明の効果】
以上に説明したように本発明によれば、ポリウレタン繊維をドラフトして４〜７デニールのモノフィラメント糸を形成し、当該ポリウレタンモノフィラメント糸を芯材としてその周囲を３０〜１１０デニールのナイロン糸でカバーリングした編糸により筒状に編成され、少なくとも一部の開口部にリブ編みを有する筒状編地であって、当該筒状編地が収縮加工により収縮させるようにしてあるので、その製品は無縫製のホールガーメントと同様、大きく伸縮させることができる。
これにより、子供用から大人用まで一種類で兼用させることができ、製造者にあっては、大量生産によるコストダウンが図れるとともに、需要者にあっては多品種を購入しなくても済み、経済的なものなる。
【００１９】
そして、筒状編地が、筒状の胴部と当該筒状の胴部から二股状に分岐した筒状編地部分が一体に形成されたパンツであって、胴部から分岐された部分で隣接する筒状編地の編地の一部を重ね合わせて当該部分を補強したものでは、無縫製のホールガーメントと同様、大きく伸縮させたときに、従来の縫製により形成したもののように、縫製部分が固くならず、着用感良いだけでなく、分岐部分が補強されていることから、耐久性を格段に向上させることができる利点がある。
【図面の簡単な説明】
【図１】は本発明にかかるアウターパンツの正面図である。
【図２】は本発明にかかるアウターパンツの脚部からの編み出しの編成コース図である。
【図３】は本発明にかかるアウターパンツの脚部からの編み出しの編成コース図である。
【図４】は本発明にかかるアウターパンツの脚部からの編み出しの編成コース図である。
【図５】は本発明にかかるアウターパンツの脚部からの編み出しの編成コース図である。
【図６】は本発明にかかるアウターパンツの脚部からの編み出しの編成コース図である。
【図７】は本発明にかかるアウターパンツの脚部からの編み出しの編成コース図である。
【図８】は本発明にかかるアウターパンツの脚部のリブ編み部分の編成コース図である。
【図９】は本発明にかかるアウターパンツの脚部の天竺編み部分の編成コース図である。
【図１０】は本発明にかかるアウターパンツの脚部の天竺編み部分の編成コース図である。
【図１１】は本発明にかかるアウターパンツの脚部の天竺編み部分の編成コース図である。
【図１２】は本発明にかかるアウターパンツの脚部の天竺編み部分の編成コース図である。
【図１３】は本発明にかかるアウターパンツの脚部の天竺編み部分の編成コース図である。
【図１４】は本発明にかかるアウターパンツの股間部分の編成コース図である。
【図１５】は本発明にかかるアウターパンツの股間部分の編成コース図である。
【図１６】は本発明にかかるアウターパンツの股間部分の編成コース図である。
【図１７】は本発明にかかるアウターパンツの股間部分の編成コース図である。
【図１８】は本発明にかかるアウターパンツの股間部分の編成コース図である。
【図１９】は本発明にかかるアウターパンツの股間部分の編成コース図である。
【図２０】は本発明にかかるアウターパンツの股間部分の編成コース図である。
【図２１】は本発明にかかるアウターパンツの股間部分の編成コース図である。
【図２２】は本発明にかかるアウターパンツの胴部分の編成コース図である。
【図２３】は本発明にかかるアウターパンツの胴部分の編成コース図である。
【図２４】は本発明にかかるタンクトップの斜視図である。
【図２５】は本発明にかかるサポータの斜視図である。
【符号の説明】
１・・・筒状編地（アウターパンツ）
【図１】
2004292974.tif 000003
【図２】
2004292974.tif 000004
【図３】
2004292974.tif 000005
【図４】
2004292974.tif 000006
【図５】
2004292974.tif 000007
【図６】
2004292974.tif 000008
【図７】
2004292974.tif 000009
【図８】
2004292974.tif 000010
【図９】
2004292974.tif 000011
【図１０】
2004292974.tif 000012
【図１１】
2004292974.tif 000013
【図１２】
2004292974.tif 000014
【図１３】
2004292974.tif 000015
【図１４】
2004292974.tif 000016
【図１５】
2004292974.tif 000017
【図１６】
2004292974.tif 000018
【図１７】
2004292974.tif 000019
【図１８】
2004292974.tif 000020
【図１９】
2004292974.tif 000021
【図２０】
2004292974.tif 000022
【図２１】
2004292974.tif 000023
【図２２】
2004292974.tif 000024
【図２３】
2004292974.tif 000025
【図２４】
2004292974.tif 000026
【図２５】
2004292974.tif 000027